【手続補正書】
【提出日】平成20年9月5日(2008.9.5)
【手続補正１】
【補正対象書類名】明細書
【補正対象項目名】特許請求の範囲
【補正方法】変更
【補正の内容】
【特許請求の範囲】
【請求項１】ある範囲の粘度値を有する研摩材媒体を使用可能な、加工物のオリフィスを研摩材の流れにより研削するシステムであって、
研削システムは処理ステーション（３００）と、戻しステーション（６００）とより成り、
処理ステーション（３００）は処理ポンプ（３８５）及び該ポンプを駆動する処理ポンプアクチュエータ（４０４）を有し、処理ポンプが媒体の供給を受けて、該媒体を処理ステーション（３００）の上流側から加工物（４２０）のオリフィスを介して処理ステーション（３００）の下流側へ圧送することによりオリフィスを研削し、
処理ポンプ（３８５）は、ｉ）一次処理シリンダ（３８０）、及びその内部で摺動自在の一次処理ピストン（３９５）と、ｉｉ）別の処理シリンダ（７８０）、及びその内部で摺動自在であり、シリンダ一次処理ピストン（３９５）と直径が異なる別の処理ピストン（３９８）とより成る群から選択される一対の処理シリンダ及び処理ピストンにより構成され、
戻しステーション（６００）は処理ステーション（３００）の下流側から研摩材媒体を受けて該媒体を処理ステーション（３００）の上流側の方向へ戻し、
戻しステーション（６００）は加工物（４２０）のオリフィスから放出される媒体を収集するレセプタクル（６０５）を有し、
戻しステーションはさらに、媒体を処理ステーション（３００）の上流側の方向へ圧送するための戻しポンプ及び戻しポンプアクチュエータ（６３０）を有し、
処理ポンプ（３８５）は、一次処理ピストン（３９５）及び一次処理シリンダ（３８０）を用いて低粘度媒体をオリフィスを介して圧送し、また別の処理ピストン（３９８）及び別の処理シリンダ（７８０）を用いて高粘度媒体をオリフィスを介して圧送することができる、研摩材流研削システム。
【請求項２】処理ポンプ（３８５）は一次処理シリンダ（３８０）及び一次処理ピストン（３９５）より成り、別の処理シリンダ（７８０）及び別の処理ピストン（３９８）は、一次処理シリンダ（３８０）及び一次処理ピストン（３９５）にとって代わる請求項１の研削システム。
【請求項３】処理ステーション（３００）に導入する前に媒体の状態を調整する状態調整ステーション（１０）をさらに有し、
状態調整ステーション（１０）は、ａ）状態調整ポンプ（１７）と、ｂ）状態調整ポンプ（１７）から媒体の供給を受け、媒体を混合して該媒体にせん断方向の力を印加し、そして／または均質性を付与するミキサー（４５）とより成り、
状態調整ポンプ（１７）は、ｉ）一次状態調整シリンダ（１５）、及び一次状態調整シリンダの内部で摺動自在であり、一次直径（ＣＤ）を有する一次状態調整ピストン（２５）と、ｉｉ）別の状態調整シリンダ（７００）、及びその内部で摺動自在であり、シリンダ一次状態調整ピストン（２５）より小さい別の直径（ＣＤ' ）を有する別の状態調整ピストン（７２５）とより成る群から選択される一対の状態調整シリンダ及び状態調整ピストンにより構成される請求項１の研削システム。
【請求項４】別の状態調整シリンダ（３００）は一次状態調整シリンダ（１５）内に挿入可能な状態調節スリーブ（９１０）より成り、別の状態調整ピストン（７２５）は状態調整スリーブ（９１０）内で摺動自在である請求項４の研削システム。
【請求項５】ポンプ（１２）は、ｉ）一次状態調整シリンダ（１５）及び一次状態調整ピストン（２５）より成り、別の状態調整シリンダ（７００）及び別の状態調整ピストン（７２５）は、一次状態調整シリンダ（１５）及び一次状態調整ピストン（２５）にとって代わる請求項３の研削システム。
【請求項６】媒体の温度を制御する温度コントローラをさらに含む請求項１の研削システム。
【請求項７】ミキサー（４５）は、１またはそれ以上のバッフル（４７）を備え、媒体にせん断方向の力を印加して高粘度媒体の粘度を制御し、媒体を攪拌して低粘度媒体に均質性を与える容器より成る請求項１の研削システム。
【請求項８】加工物（４２０）のオリフィスを介して圧送される、粘度を有する研摩材媒体の流れによる研削装置を再構成する方法であって、
処理ポンプ（３８５）及び処理ポンプアクチュエータ（４０４）より成る処理ステーション（３００）を有し、処理ポンプ（３８５）は、媒体を処理ステーション（３００）からオリフィスを介して圧送するための、一次処理シリンダ（３８０）及び一次処理ピストン（３９５）より成り、一次処理ピストン（３９５）は一次処理シリンダ（３８０）内で摺動自在なように一次直径を有し、
前記方法は、種々の粘度の媒体に適応させるように、一次処理シリンダ及び一次処理ピストンの直径を選択するステップより成る研削装置再構成方法。
【請求項９】一次処理シリンダ及び一次処理ピストンの直径を選択するステップは、一次処理シリンダ（３８０）及び一次処理ピストン（３９５）を使用するかまたは一次処理シリンダ（３８０）内にスリーブ（７８０）を挿入し、該スリーブ内に別の処理ピストンを摺動自在に配置するステップより成る請求項８の方法。
【請求項１０】処理ポンプ（３８５）は一次処理シリンダ（３８０）及び一次処理ピストン（３９５）より成り、一次処理シリンダ及び一次処理ピストンの直径を選択するステップは、一次処理シリンダ（３８０）及び一次処理ピストン（３９５）を使用するかまたは一次処理シリンダ（３８０）及び一次処理ピストン（３９５）の代わりに、小さい直径を有する別の処理シリンダ及び別の処理ピストンを用いるステップより成る請求項８の方法。
【請求項１１】前記装置はさらに、ミキサー（４５）を通して研摩材媒体を混合する状態調整ステーション（１０）を有し、状態調整ステーション（１０）は、状態調整ピストン（２５）及び状態調整シリンダ（１５）を有する状態調整ポンプ（１２）を有し、
前記方法はさらに種々の粘度の媒体に適応させるために、状態調整シリンダ（１５）及び状態調整ピストン（２５）の直径（ＣＤ）を選択するステップをさらに含む請求項２１の方法。
【請求項１２】状態調整ポンプ（１２）は一次状態調整シリンダ（１５）及び一次状態調整ピストン（２５）より成り、
一次状態調整シリンダ（１５）及び一次状態調整ピストン（２５）の直径を選択するステップは、一次状態調整シリンダ（１５）内にスリーブ（７８０）を挿入し、該スリーブ内に別の状態調整ピストンを摺動自在に配置するステップより成る請求項１１の方法。
【請求項１３】状態調整ポンプ（１２）は一次状態調整シリンダ（１５）及び一次状態調整ピストン（２５）より成り、
状態調整シリンダ（１５）及び状態調整ピストン（２５）の直径を選択するステップは、一次状態調整シリンダ（１５）及び一次状態調整ピストン（２５）の代わりに、別の状態調整シリンダ（７００）及び小さい直径（ＣＤ' ）を有する別の状態調整ピストン（７２５）を用いるステップより成る請求項１１の方法。
【請求項１４】媒体へまたは媒体から熱を伝達して所望の温度を維持するステップをさらに含む請求項１１の方法。
【手続補正２】
【補正対象書類名】明細書
【補正対象項目名】００１０
【補正方法】変更
【補正の内容】
【００１０】
【発明の概要】
本発明は、ある範囲の粘度値を有する研摩材媒体を使用可能な、加工物のオリフィスを研摩材の流れにより研削するシステムであって、 研削システムは処理ステーションと、戻しステーションとより成り、処理ステーションは処理ポンプ及び該ポンプを駆動する処理ポンプアクチュエータを有し、処理ポンプが媒体の供給を受けて、該媒体を処理ステーションの上流側から加工物のオリフィスを介して処理ステーションの下流側へ圧送することによりオリフィスを研削し、処理ポンプは、ｉ）一次処理シリンダ、及びその内部で摺動自在の一次処理ピストンと、ｉｉ）別の処理シリンダ、及びその内部で摺動自在であり、シリンダ一次処理ピストンと直径が異なる別の処理ピストンとより成る群から選択される一対の処理シリンダ及び処理ピストンにより構成され、戻しステーションは処理ステーションの下流側から研摩材媒体を受けて該媒体を処理ステーションの上流側の方向へ戻し、戻しステーションは加工物のオリフィスから放出される媒体を収集するレセプタクルを有し、戻しステーションはさらに、媒体を処理ステーションの上流側の方向へ圧送するための戻しポンプ及び戻しポンプアクチュエータを有し、処理ポンプは、一次処理ピストン及び一次処理シリンダを用いて低粘度媒体をオリフィスを介して圧送し、また別の処理ピストン及び別の処理シリンダを用いて高粘度媒体をオリフィスを介して圧送することができる、研摩材流研削システムを提供する。
【手続補正３】
【補正対象書類名】明細書
【補正対象項目名】００１１
【補正方法】変更
【補正の内容】
【００１１】
本発明は、加工物のオリフィスを介して圧送される、粘度を有する研摩材媒体の流れによる研削装置を再構成する方法であって、処理ポンプ及び処理ポンプアクチュエータより成る処理ステーションを有し、処理ポンプは、媒体を処理ステーションからオリフィスを介して圧送するための、一次処理シリンダ及び一次処理ピストンより成り、一次処理ピストンは一次処理シリンダ内で摺動自在なように一次直径を有し、前記方法は、種々の粘度の媒体に適応させるように、一次処理シリンダ及び一次処理ピストンの直径を選択するステップより成る研削装置再構成方法をも提供する。
【手続補正４】
【補正対象書類名】明細書
【補正対象項目名】００１２
【補正方法】削除
【補正の内容】